(57)【要約】      （修正有）【課題】水栓の表面に付いた水滴を取り除くことができ、水栓の平坦面における水の滞溜による汚れの付着や水垢の発生を極力防止する水栓の提供。【解決手段】平坦面２を有する水栓１において、水栓１に付着した水滴を流動させるための振動を発生させる装置２１を備えた水栓。【選択図】図２
2019116806.tif 000002
【特許請求の範囲】
【請求項１】
表面に平坦面を有する水栓において、振動を発生させる振動発生装置を備えたことを特徴とする水栓。
【請求項２】
前記振動発生装置が、水栓に内蔵された振動モーターであることを特徴とする請求項１記載の水栓。
【請求項３】
前記振動発生装置が、天板に設けたスピーカであることを特徴とする請求項１記載の水栓。
【発明の詳細な説明】
【技術分野】
【０００１】
本発明は水滴による汚れの付着および水垢の発生を防止する水栓に関するものである。
【背景技術】
【０００２】
浴室などで使用される水栓は、シャンプーやリンス、石鹸などが表面に付着しやすく、これらが溶存している水滴などはシャワーなどで洗い流しても、水栓の表面の特に平坦部に滞留しやすく、汚れや水垢などが発生しやすいという問題があった。
【０００３】
そこで、特許文献１の水栓金具３０は図５、６に示すように、水栓金具表面の特に平坦面部３２において、水垢などの付着を抑制することを目的とし、表面に水滴４０を形成させないようにめっき表面に親水性微粒子３５を、側面部３３方向に向かって親水性微粒子３５の分布量が傾斜的に増加するように分散配置している。
【０００４】
このように、特許文献１に開示されている水栓金具３０では、水栓金具３０表面に極力水滴４０を残さないようにすることで、その水滴４０に溶存している水垢成分を滞留させないようにして水垢の生成を防止するものであるが、親水性微粒子３５の親水性の効果は、経時的に低下してしまうという課題を有しており、時間の経過とともに、その能力が弱くなっていくという問題を解決することができなかった。
【先行技術文献】
【特許文献】
【０００５】
【特許文献１】特開２００８−１０６４８７号公報（図１（ａ）、図３（ｂ））
【発明の概要】
【発明が解決しようとする課題】
【０００６】
本願発明は、上記背景技術に鑑みて発明されたものであり、その課題は、水栓の表面に付いた水滴を取り除くことができ、水栓の平坦面における水滴の滞溜による汚れの付着や水垢の発生を極力防止し、その能力を維持することを目的とする。
【課題を解決するための手段】
【０００７】
以上の課題を解決するために、本願発明の請求項１は、表面に平坦面を有する水栓において、振動を発生させる振動発生装置を備えたことを特徴とする。
【０００８】
請求項２は請求項１において、前記振動発生装置が、水栓に内蔵された振動モーターであることを特徴とする。
【０００９】
請求項３は請求項１において、前記振動発生装置が、天板に設けたスピーカであることを特徴とする。
【発明の効果】
【００１０】
以上のように本発明は、振動発生装置を備えたことにより、水栓の表面に付いた水滴を取り除くことができ、特に水滴が溜まりやすい水栓の平坦面における水滴の滞溜による汚れの付着や水垢の発生を抑制することができる。
【図面の簡単な説明】
【００１１】
【図１】本発明の実施形態の水栓を取付けた浴室の斜視図である。
【図２】（ａ）は本発明の実施形態の水栓の振動による水滴を取り除く説明図である。（ｂ）は（ａ）をＡ方向から見た図であり、水滴が振動により中央部近傍から端部に向かって移動する作用効果を表すモデル図である。
【図３】本発明において、振動発生装置が振動モーターである実施形態の水栓の斜視図である。
【図４】本発明において、振動発生装置がスピーカである実施形態の水栓の斜視図である。
【図５】従来の水栓の例を示す斜視図である。
【図６】従来の水栓の例で、水滴が端部に向かって移動する作用効果を表すモデルである。
【発明を実施するための形態】
【００１２】
本願の実施形態の水栓を図１〜図４に基づいて詳しく説明する。
図１は本発明にかかる実施の形態で、水，湯及び水と湯との混合水を吐出できるようにした湯水混合水栓（以下、単に水栓という）に振動発生装置を内蔵させて浴室に設置したものである。
【００１３】
図１及び図２（ａ）に示すように、水栓１の後部の一対の給水口及び給湯口（ともに図示しない）には、給水ジョイント１０及び給湯ジョイント１１がそれぞれ接続され、それらの給水ジョイント１０及び給湯ジョイント１１は、給水源から延びる配管及び給湯源から延びる配管（図示しない）にそれぞれ連結される。水栓１の後部のシャワー吐出口１２には、シャワーホース１３が接続され、そのシャワーホース１３の先端にはシャワーヘッド１４が接続されている。
【００１４】
水栓１の下面にはカラン吐出口１５が設けられている。水栓１の右端には、吐水量調節ハンドル３が設けられ、水栓１の左端には温度調節ハンドル４が設けられている。
また、水栓１の前部右側には、後述のシャワー側押しボタン５が設けられ、水栓１の前部中側には、後述のカラン側押しボタン６が設けられ、水栓１の前部左側には、後述の振動ボタン７が設けられている。なお、シャワー側押しボタン５及びカラン側押しボタン６は、スプリング及びカム（ともに図示しない）の作用によるプッシュオン・プッシュオフタイプであって、１回目のボタン５、６に対する押し込みにより、同ボタン５，６は後退してその位置で保持され、２回目のボタン５，６に対する押し込みにより同ボタン５，６は突出位置に復帰する。
【００１５】
そして、シャワー側押しボタン５及びカラン側押しボタン６の各ボタン５，６が前方への突出状態にあるときには、シャワーヘッド１４及びカラン吐出口１５が止水状態にある。シャワー側押しボタン５が押し込まれたときには、シャワーヘッド１４からのシャワー吐水が行なわれる。カラン側押しボタン６が押し込まれたときには、カラン吐出口１５からの吐水が行なわれる。これらの吐水の場合、前記吐水量調節ハンドル３の手動操作により、吐水量が調節される。また、温度調節ハンドル４の手動操作により、吐水の温度が調節される。
【００１６】
また、振動ボタン７は、スプリング及びカム（ともに図示しない）の作用によるプッシュオン・プッシュオフタイプであって、１回目の振動ボタン７に対する押し込みにより、同振動ボタン７は後退してその位置で保持され、２回目の振動ボタン７に対する押し込みにより同振動ボタン７は突出位置に復帰する。
【００１７】
そして、振動ボタン７が前方への突出状態にあるときには、後述する振動発生装置２１が停止状態にある。振動ボタン７が押し込まれたときには、振動発生装置２１から振動が発生して水栓１を振動させる。これらの振動発生装置２１の振動の強さを調節する場合は、振動ボタン７を手動操作により左右に回転させることにより振動の強さの強弱を調節することができる。
【００１８】
図２（ａ）に示すように、水栓１の上部には天板２（平坦面）が設けられており、この天板２の下面には振動発生装置２１が取付けられている。そのため、水滴２０が滞留しやすい天板２（平坦面）により直接振動が伝わりやすい構造になっており、水滴２０を早く取り除くことができる。また、この水栓１および天板２に親水性や撥水性を有する微粒子を添加することにより、さらに早く天板２から水滴２０を取り除くことができる。
ここで天板２（平坦面）は完全に水平ではなく、Ｒがかった曲面や、端部に向かって傾斜している面も含む。
【００１９】
図２（ｂ）は、図２（ａ）の天板２の一部拡大断面図であり、振動発生装置２１の振動により、水滴２０が水栓１の天板２の中央部近傍（右側）から端部（左側）に向かって移動して水栓１の天板２の表面から取り除かれる作用効果を表すモデル図である。
より詳しくは、中央部近傍（右側）にある水滴２０が振動により端部（左側）に向かって移動する。その時に水滴２０どうしが結合し、より大きな水滴２０となり端部（左側）に移動する。水滴２０の一部が端部（左側）から飛び出すことにより、水滴２０全体が天板２の端部（左側）から下に引っ張られて落下することにより、水栓１の天板２の表面から水滴２０が取り除かれる。
【００２０】
図３に示す実施例においては、水栓１には天板２（平坦面）が設けられており、この天板２の下面には振動モーター２１ａが内蔵されている。水栓１の前部左側には、振動ボタン７が設けられており、振動ボタン７が前方への突出状態にあるときには、振動モーター２１ａが停止状態にある。振動ボタン７が押し込まれたときには、振動モーター２１ａから振動が発生して水栓１を振動させる。これらの振動モーター２１ａの振動の強さを調節する場合は、振動ボタン７を手動操作により左右に回転させることにより振動の強さの強弱を調節することができる。水滴２０が滞留しやすい天板２の下面に振動モーターを取付けることにより、天板２（平坦面）に直接振動が伝わりやすく、水滴を早く取り除くことができる。
【００２１】
また、振動モーター２１ａを複数個使用したり、周波数の異なるものを使用したり、振動モーター２１ａのかわりに歯車やカム機構を使用して振動を発生させるモーターを使用してもよい。振動モーター２１ａは着脱可能で、取り付け場所については、天板２の下面以外に設けてもよい。
【００２２】
図４に示す実施例においては、水栓１の天板２にはスピーカ２１ｂが設けられており、水栓１の前部左側には、図２にある振動ボタン７のかわりに再生ボタン７ａ、消音ボタン７ｂ、音量調整ボタン７ｃが設けられている。
この再生ボタン７ａを押すことにより、通信機能が搭載されている電化製品との通信が接続され、スピーカ２１ｂから音が出ると共に振動が発生して水栓１の表面を振動させることができる。
【００２３】
前記通信機能が搭載されている電化製品と通信してスピーカ２１ｂから聞くことができるものとしては、スマートフォンなどから再生音楽や、電話、メールなどの着信確認や音声ナビなどがある。
また、スピーカ２１ｂは、スマートハウスなどに対応した電化製品などの起動、作業、停止などの動作情報を聞くこともでき、テレビ、ラジオなどの音声も聞くことができる。この再生ボタン７ａを再度押すことにより通信機能がある電化製品との通信が切断され、スピーカ２１ｂからの音を止めると共に振動も停止させることができる。
【００２４】
次に再生ボタンを押してスピーカ２１ｂから振動と音を出している状態の時に、消音ボタン７ｂを押すとスピーカ２１ｂから、超音波などの非可聴音を発生させるなどして、音を出さなくして振動だけにすることができ、再度消音ボタン７ｂを押すことによりスピーカ２１ｂから振動と音を出すことができる。
【００２５】
音量調整ボタン７ｃを手動操作により左右に回転させることによりスピーカ２１ｂの音量と振動の強さの強弱を同時に調整することができる。
【００２６】
スピーカ２１ｂは、振動スピーカなどの振動を発生するスピーカ２１ｂであればよいものとし、ダイナミック型、圧電型などの音が発生するスピーカ２１ｂでもよい。さらに、スピーカ２１ｂの大きさや周波数特性が相違する複数のスピーカを設けてもよい。
また、スピーカ２１ｂの取り付け場所については、天板２以外の水栓１に脱着自在に設けてもよい。
【符号の説明】
【００２７】
１；水栓、２；天板（平坦面）、３；吐水量調節ハンドル、４；温度調節ハンドル、５；カランボタン、６；シャワーボタン、７；振動ボタン、７ａ；再生ボタン、７ｂ；消音ボタン、７ｃ；音量調整ボタン、１０；給水ジョイント、１１給湯ジョイント、１２；シャワー吐水口、１３；シャワーホース、１４；シャワーヘッド、１５；カラン吐出口、２０；水滴、２１；振動発生装置、２１ａ；振動モーター、２１ｂ；スピーカ、３０；水栓金具、３２；平坦面部、３３；側面部、３５；親水性微粒子、４０；水滴
【図１】
2019116806.tif 000003
【図２】
2019116806.tif 000004
【図３】
2019116806.tif 000005
【図４】
2019116806.tif 000006
【図５】
2019116806.tif 000007
【図６】
2019116806.tif 000008